(57)【要約】【課題】管内の損傷部を補修するための管内損傷部封止バンド取り付け具及び管内損傷部封止バンド取り付け方法を提供する。【解決手段】管内の損傷部を補修するための管内損傷部封止バンド取り付け具において、前記封止バンドは複数個の薄板で帯状に分割して形成される部分と円周方向の両側結合部が楔形成の部分とで構成され、前記取り付け具は前記封止バンドの円筒方向両端と前記楔形状部分とを中間に挟むように固定受け部を少なくとも一端側に形成するとともにハンドル操作により可動受け部を移動自在に形成して構成され、前記取り付け具の前記固定受け部を前記封止バンドの円筒方向一端側に当接させるとともに前記可動受け部を前記楔形状部分に当節させて前記楔形状部分を挟持し、前記ハンドル操作により前記双方の受け部を相互に接近させて前記楔形状部分を前記封止バンド間に挿入するように構成したことを特徴とする。【選択図】図３
2015209969.tif 000002
【特許請求の範囲】
【請求項１】
管内の損傷部を補修するための管内損傷部封止バンドの取り付け具において、
前記封止バンドは複数個の薄板で帯状に分割して形成される部分と円周方向の両側結合部が楔形成の部分とで構成され、
前記取り付け具は、前記封止バンドの円筒方向両端と前記楔形状部分とを中間に挟むように前記円筒方向端に対峙する固定受け部を少なくとも一端側に形成するとともにハンドル操作により前記楔形状部分に対峙する可動受け部を移動自在に形成して構成され、
前記取り付け具の前記固定受け部を前記封止バンドの円筒方向一端側に当接させるとともに前記可動受け部を前記楔形状部分に当接させて前記楔形状部分を挟持し、
前記ハンドル操作により前記双方の受け部を相互に接近させて前記楔形状部分を前記封止バンド間に挿入するように構成したことを特徴とする管内損傷部封止バンド取り付け具。
【請求項２】
管内の損傷部を補修するための管内損傷部封止バンドを用いた管内損傷部封止バンドの取り付け方法において、
前記封止バンドは、複数個の薄板で帯状に分割して形成される部分と円周方向の両側結合部が楔形成の部分とで構成され、
前記封止バンドの円周方向の両端間に形成された楔状部分を前記封止バンドの円周方向の両端間に結合する取り付け具を備え、
前記取り付け具に形成された固定受け部を前記封止バンドの円筒方向一端側に当接させるとともに可動受け部を前記楔形状部分に当節させて前記楔形状部分を挟持し、
前記ハンドル操作により前記可動受け部を固定受け部側へ接近させて前記楔形状部分を前記封止バンド間に挿入するように構成したことを特徴とする管内損傷部封止バンド取り付け方法。
【発明の詳細な説明】
【技術分野】
【０００１】
この発明は、水道や下水などの配水管あるいは工業用の排水管などにおける管内の損傷部を補修するための、管内損傷部封止バンドを用いてこれを固定するために、最終工程で楔を挿入して固定するための取り付け具および当該取り付け具を用いた取り付け方法に関する。
【背景技術】
【０００２】
従来から、水道や下水などの配水管あるいは工業用の排水管などにおける管内の損傷部を補修するため、補修用の部品や補修方法が提案されており、さらに工事現場では各種の補修方法が用いられてきた。
【０００３】
そのための一案として、同一出願人は管内損傷部封止バンドを提案した（例えば、特許文献１参照）。この封止バンドを用いれば補修作業が簡便で補修の手間が掛からず作業性が向上する。
【０００４】
即ち、管内の損傷部を補修するための管内損傷部封止バンドを管内面の損傷部を含む部位に敷設し、当該バンドの接合両端部に楔形状のバンドを取り付けて管内面に密着させた上で封止剤を注入し、損傷部を補修する管内損傷部封止バンドおよび当該バンドを用いた管内損傷部封止方法を提供するものである。
【先行技術文献】
【特許文献】
【０００５】
【特許文献１】特願２０１２−２０２９８０号公報
【発明の概要】
【発明が解決しようとする課題】
【０００６】
しかしながら、このような方法にあってはバンドの円周方向における接合両端部に楔を取り付けて管の内面に密着させる際に、最終工程で楔形状のバンドを取り付けるには作業者単独では取り付け作業が容易ではなく、複数人が同時に分担して作業を行う必要がある。
【０００７】
また、楔形状のバンドを取り付けるに当たってハンマーなどで叩きながら楔形状のバンドを打ち込むものであったから、正規の取り付け位置に正確に固定することが困難であり、作業の安全性や安定性が確保され難かった。
【０００８】
このような状況下において補修作業が簡便であって補修の手間が掛からず、かつ補修部分へのバンドの楔形状のバンドの取り付けが単独でも行い得るとともに正規の取り付け位置を確保し易い補修具及び補修方法が求められている。
【０００９】
この発明は、前記のような課題を解決するものであり、補修部分へのバンドの取り付けが単独でも行い得るようにし、かつ作業の安全性を確保し的確な設定位置に取り付け得る管内損傷部封止バンド取り付け具及び管内損傷部封止バンド取り付け方法を提供することを目的とする。
【課題を解決するための手段】
【００１０】
上記の目的を達成するため、請求項１に記載の発明によれば、管内の損傷部を補修するための管内損傷部封止バンド取り付け具において、前記封止バンドは複数個の薄板で帯状に分割して形成される部分と円周方向の両側結合部が楔形成の部分とで構成され、前記取り付け具は前記封止バンドの円筒方向両端と前記楔形状部分とを中間に挟むように前記円筒方向端に対峙する固定受け部を少なくとも一端側に形成するとともにハンドル操作により前記楔形状部分に対峙する可動受け部を移動自在に形成して構成され、前記取り付け具の前記固定受け部を前記封止バンドの円筒方向一端側に当接させるとともに前記可動受け部を前記楔形状部分に当接させて前記楔形状部分を挟持し、前記ハンドル操作により前記双方の受け部を相互に接近させて前記楔形状部分を前記封止バンド間に挿入するように構成したことを特徴とする。
【００１１】
また、請求項２に記載の発明によれば、管内の損傷部を補修するための管内損傷部封止バンドを用いた管内損傷部封止バンド取り付け方法において、前記封止バンドは複数個の薄板で帯状に分割して形成される部分と円周方向の両側結合部が楔形成の部分とで構成され、前記封止バンドの円周方向の両端間に形成された楔状部分を前記封止バンドの円周方向の両端間に結合する取り付け具を備え、前記取り付け具に形成された固定受け部を前記封止バンドの円筒方向一端側に当接させるとともに可動受け部を前記楔形状部分に当節させて前記楔形状部分を挟持し、前記ハンドル操作により前記可動受け部を固定受け部側へ接近させて前記楔形状部分を前記封止バンド間に挿入するように構成した管内損傷部封止バンド取り付け方法を特徴とする。
【発明の効果】
【００１２】
請求項１に記載の発明によれば、取り付け具は前記封止バンドの円筒方向両端と前記楔形状部分とを中間に挟むように固定受け部を少なくとも一端側に形成するとともにハンドル操作により可動受け部を移動自在に形成して構成され、前記取り付け具の前記固定受け部を前記封止バンドの円筒方向一端側に当接させるとともに前記可動受け部を前記楔形状部分に当接させて前記楔形状部分を挟持し、前記ハンドル操作により前記可動受け部を固定受け部側へ接近させて前記楔形状部分を前記封止バンド間に挿入するように構成されるから、作業者が単独であっても楔形状部分を封止バンド間に挿入するとともに適正な位置に設置作業を進めることができ、かつ的確な設定位置に取り付け得るような管内損傷部封止バンド取り付け具を提供できる。
【００１３】
また、請求項２に記載の発明によれば、取り付け具に形成された受け部を前記封止バンドの円筒方向一端側に当接させるとともに他方を前記楔形状部分に当節させて前記楔形状部分を挟持し、前記ハンドル操作により前記両方の受け部を接近させて前記楔形状部分を前記封止バンド間に挿入するように構成したから、作業者が単独ででも楔形状部分を封止バンド間に挿入することができるようになり、簡単に管内損傷部を補修する管内損傷部封止バンド取り付け方法を提供できる。
【図面の簡単な説明】
【００１４】
【図１】この発明が適用される管内損傷部封止バンドの構成を示す斜視図である。
【図２】この発明が適用される管内損傷部封止バンドの管内における配置を示す斜視図である。
【図３】この発明の一実施形態を示す管内損傷部封止バンドの楔取り付け具を設置した工事前の斜視図である。
【図４】この発明の一実施形態を示す管内損傷部封止バンドの楔取り付け具の詳細説明図である。
【発明を実施するための形態】
【００１５】
以下、この発明の実施の一形態を図面に基づいて説明する。はじめに、本発明に使用する損傷部封止バンドの全体構成を説明する。図１は、この発明が適用される管内損傷部封止バンドの全体構成を示す斜視図であり、損傷部封止バンド２２、２３、２４および打ち込み楔２５から成り、打ち込み楔２５が損傷部封止バンド２２と２４との間に挿入されることにより、損傷部封止バンド２２、２３、２４を管内壁面に密着させて管内損傷部２１ａを封止することができる。損傷部封止バンド２２、２３、２４および打ち込み楔２５の相互間には一方が凹部で他方が凸部となるように結合部が形成されている。
【００１６】
具体的に図１で一例を示すと、損傷部封止バンド２２には凹部２２ａ、損傷部封止バンド２４には凹部２４ａ、打ち込み楔２５には両側に凸部２５ｃ、２５ｃが形成されており、この凸部２５ｃ、２５ｃが損傷部封止バンド２２の凹部２２ａおよび損傷部封止バンド２４の凹部２４ａと嵌合して、損傷部封止バンド全体が連結されて管内損傷部封止バンドの全体を構成する。
【００１７】
本発明は、図２に示す既設の排水管２１等の接合部の水漏れや部分的な欠損などが生じることがあり、このような損傷部分２１ａの補修が必要になる場合にこの作業を容易にするために、打ち込み楔２５を作業者が単独でしかも簡単に隙間に打ち込み、適正な位置に設定できるようにするものである。
【００１８】
図２は、本発明の管内損傷部封止バンド取り付け具を適用する際に、損傷部封止バンドが配置されるための好ましい状態を示すものである。即ち、既設の排水管２１等の内部に損傷部封止バンド２２、２３、２４が連結され、打ち込み楔２５は幅の狭い部分２５ａ側から損傷部封止バンド２２と２４との間に挿入されるように配置される。
【００１９】
打ち込み楔２５の打ち込みには、円筒方向の一方の広口部分から他方の狭口部分に向かって、上述の通りに打ち込み楔２５がその狭い幅の部分２５ａから隙間２８に挿入された後、図３に示す取り付け具Ｇが当該部分に設置されるが、打ち込み楔２５の傾斜角度は８〜９°に設定するのが好ましい。
【００２０】
ここで、打ち込み楔２５を適正な位置に設置するための本発明の主要部である取り付け具Ｇについて図４を参照して詳述する。取り付け具Ｇは、ベース３０の両端に形成された爪支持部３０ａ、３０ｂ、３０ｃ、３０ｄを有し、それぞれの支持部には上方に突出した固定爪３１ａ、３１ｂ、３１ｃ、３１ｄがベース３０と一体に固定して形成されている。
【００２１】
また、ベース３０のほぼ中央にはシャフト３２が旋回自在に両端をベース３０に保持され、保持部分を除く範囲には送りねじ３２ａが形成されている。シャフト３２の両端部面であって軸方向には、シャフト３２を旋回させるために、六角レンチ又はハンドル等を差し込む六角穴３２ｂ等が形成されている。
【００２２】
送りねじ３２ａには、爪保持部３３が嵌合していて上方に突出した可動爪３３ａが形成されている。そして、シャフト３２が旋回されるとこれに爪保持部３３が嵌合しているから、送りねじ３２ａに沿って爪保持部３３が軸方向に移動され、それによって上方に突出した可動爪３３ａが前後方向に移動できる。  なお、シャフト３２が旋回されると送りねじ３２ａにより爪保持部３３が軸方向に移動されるが、この際爪保持部３３が旋回されずに移動するように、ベース３０に固定されたリーダーガイド３４ａ、３４ｂが設けられている。
【００２３】
ここで、固定爪３１ａ、３１ｂ、３１ｃ、３１ｄおよび可動爪３３ａのそれぞれの先端部分の形状は、排水管２１等の内径に沿った円形に構成されている。そして、固定爪３１および可動爪３３は、バンド２２、２３、２４、２５にそれぞれ当接する際に円筒軸方向における受け部を構成している。また、固定爪３１ａ、３１ｂ、３１ｃ、３１ｄの内側および可動爪３３ａの両側には、バンド２２、２３、２４ならびに固定爪３１との当接面でスリップが生じ難くなるように＃状の切込み溝３５或は表面を粗面にする加工が施されている。
【００２４】
次に、取り付け具Ｇの作動方法について説明すると、図３に示すように打ち込み楔２５がその狭い幅の部分２５ａから隙間２８に挿入された後、取り付け具Ｇが図４の状態から上下逆向きにして当該部分に設置される。そして、その設置方法は、例えば固定爪３０ｃ、３０ｄをバンド２２、２４の奥側に当接させ、可動爪３３ａを打ち込み楔２５の手前側２５ｂに当接させる。
【００２５】
続いて、取り付け具Ｇにおけるシャフト３２の一端部の六角穴３２ｂに六角レンチ又はハンドル等が差し込まれてシャフト３２が旋回されると、送りねじ３２ａが旋回されるからこれに嵌合する爪保持部３３が送りねじ３２ａに沿って補修管の軸方向つまり、図３の左奥方向に移動される。それによって下方に突出した可動爪３３ａが前後方向に移動して打ち込み楔２５の手前側２５ｂを押し、打ち込み楔２５は隙間２８内に挿入され正規の設定位置に設置される。
【００２６】
このようにして、打ち込み楔２５が封止バンド２２、２４の隙間２８に挿入されることによって、封止バンド２２、２３、２４が排水管２１等の内面に密着される。なお、打ち込み楔２５が正規の設定位置に設置されたあと、不用意に送りねじ３２ａが緩むことのないように、ロックレバー２９が設けられており、公知の機構であってロックレバー２９のハンドルを回すことによって、送りねじ３２ａとは直交する方向に形成されたねじにより、送りねじ３２ａが強制的に締め付けられる構造である。
【００２７】
このようにして、打ち込み楔２５が封止バンド２２、２４の隙間２８に挿入された後、詳述しないが同一出願人の出願に係る特願２０１２−２０２９８０号公報に記載した通りに、接着剤等の封止剤が注入されて損傷部封止バンド２２、２３、２４および打ち込み楔２５が確実に排水管２１等の内面に固定される。そして、その後にロックレバー２９のハンドルが取り付けの場合とは逆方向に回わされて取り付け具Ｇが取り外される。従って、このような状態にされたところで、排水管２１等の内面に生じた損傷部分を完全に密封して水漏れなどの不都合を修理できる。
【００２８】
なお、上記実施形態における説明では、取り付け具Ｇの設置方法は、バンド２２と２４との間に形成される隙間に打ち込み楔２５が挿入されたのち、例えば固定爪３０ｃ、３０ｄを図４（ａ）におけるバンド２２、２４の上側に当接させ、可動爪３３ａを図５（ａ）における打ち込み楔２５の下側２５ｂに当接させる場合について述べた。しかし、取り付け具Ｇを逆方向に向けて設置し、固定爪３０ａ、３０ｂを図４（ａ）におけるバンド２２、２４の上側に当接させ、可動爪３３ａを図５（ａ）における打ち込み楔２５の下側２５ｂに当接させるようにして、上述の場合と同様に可動爪３３ａが前後方向に移動して打ち込み楔２５の下側２５ｂを押し、打ち込み楔２５が隙間２８内に挿入され正規の設定位置に設置することもできる。
【００２９】
また、上記実施形態における取り付け具Ｇの設置方法の説明と同様の配置のままで、固定爪３０ａ、３０ｂを図４（ａ）におけるバンド２２、２４の下側に当接させ、可動爪３３ａを図５（ａ）における打ち込み楔２５の上側２５ａに当接させ、シャフト３２の両端部の六角穴３２ｂに六角レンチ又はハンドル等を差し込んでシャフト３２を上記説明の場合とは逆方向に旋回すると、送りねじ３２ａが逆方向に旋回されるからこれに嵌合する爪保持部３３が送りねじ３２ａに沿って補修管の逆向きの軸方向に移動される。それによって上方に突出した可動爪３３ａが前後方向に移動して打ち込み楔２５の上側２５ａを押し、打ち込み楔２５は隙間２８内の設定位置から引き抜くことができる。
【００３０】
なお、本発明は上記実施形態に限定されるものではなく、本発明の技術思想の範囲内で適宜実施形態を変更して実施することができる。
【符号の説明】
【００３１】
２１；既設の排水管
２２，２３，２４；損傷部封止バンド
２５；打ち込み楔
２８；隙間
３０；ベース
３１；固定爪（固定受け部）
３２；シャフト
３３；可動爪（可動受け部）
Ｇ；取り付け具
【図１】
2015209969.tif 000003
【図２】
2015209969.tif 000004
【図３】
2015209969.tif 000005
【図４】
2015209969.tif 000006